(57)【特許請求の範囲】
【請求項１】
トイレの便房の出入り口を開閉するドアパネルを有する自動ドア装置において、
前記便房の外部に設けられ、操作されたとき、前記ドアパネルを開かせる外部操作手段と、
前記便房出入り口付近の内部側に設置され、出入り口付近の内部側に検知範囲を有する検知センサと、
前記外部操作手段の操作によって前記ドアパネルが開放された後の前記検知センサの前記検知範囲の検知結果に従って、前記トイレの利用者に前記ドアパネルの操作方法を音声または表示によって案内する案内手段とを、
具備する自動ドア装置。
【請求項２】
請求項１記載の自動ドア装置において、前記検知センサは、前記便房内部の前記検知範囲の状況を時系列で判断する自動ドア装置。
【請求項３】
請求項１記載の自動ドア装置において、
前記案内手段は、前記便房内に設けられ、
前記便房内には、前記ドアパネルを閉じさせる内部操作手段が設けられ、
前記外部操作手段の操作によって前記ドアパネルが開かれた後、前記利用者が前記検知範囲を通過して前記便房内に入ってから所定時間経過したとき、前記案内手段が前記内部操作手段の操作を案内する
自動ドア装置。
【請求項４】
請求項１記載の自動ドア装置において、
前記案内手段は、前記便房内に設けられ、
前記便房内には、前記ドアパネルを閉じさせる内部操作手段が設けられ、
前記外部操作手段の操作によって前記ドアパネルが開かれた後、前記検知範囲内に前記利用者が所定時間止まったとき、前記案内手段が前記内部操作手段の操作を案内する
自動ドア装置。
【請求項５】
請求項１記載の自動ドア装置において、
前記検知センサは、少なくとも前記便房の出入り口での前記利用者の通過の有無を判断する自動ドア装置。
【請求項６】
トイレの便房の出入り口を開閉するドアパネルを有する自動ドア装置において、
前記便房の外部に設けられ、操作されたとき、前記ドアパネルを開かせる外部操作手段と、
前記便房出入り口付近に検知範囲を有する検知センサと、
前記操作手段の操作によって前記ドアパネルが開放された後の前記検知センサの検知結果に従って、前記トイレの利用者に前記ドアパネルの操作方法を音声または表示によって案内する案内手段とを、
具備し、
前記案内手段は、前記便房の外部に設けられ、
前記外部操作手段の操作によって前記ドアパネルが開かれた後、前記検知範囲内に複数の人が存在し、その後に前記便房から前記複数の人のうち一部の人が前記便房から退出して前記所定時間経過したとき、前記案内手段が前記外部操作手段の操作を案内する自動ドア装置。
【発明の詳細な説明】
【技術分野】
【０００１】
本発明は、自動ドア装置に関し、特にトイレに設けられる自動ドア装置に関する。
【背景技術】
【０００２】
トイレに設けられる自動ドア装置としては、例えば特許文献１に開示されたようなものがある。特許文献１の技術では、トイレの便房内にドアパネルを開く開ボタンと、ドアパネルを閉じる閉ボタンとが配置されており、同じく便房の外部にも開ボタンと閉ボタンとが配置されている。一人の利用者が使用する場合には、便房の外部の開ボタンを押して便房内に入り、便房内の閉ボタンを押すことによって、ドアパネルが閉じられ、施錠が行われる。このとき、便房外の開ボタンを押しても、ドアパネルは開かない。一方、要介護者に介護者が付き添って便房内に入る場合には、外部の開ボタンを押して、ドアパネルを開き、介護者と要介護者とが便房内に入り、介護者が便房の外部に出て、外部の閉ボタンを押して,ドアパネルを閉じる。このとき、ドアパネルは施錠されず、外部の開ボタンを押すことでドアパネルを開くことができる。
【先行技術文献】
【特許文献】
【０００３】
【特許文献１】特開２００５−１６３４０８号公報
【発明の概要】
【発明が解決しようとする課題】
【０００４】
特許文献１に開示されているような自動ドア装置は、建物の入口に配置される自動ドア装置とは異なり、便房の内外のボタンの操作によってドアパネルを開閉するものであり、上述したように内外の開閉ボタンの操作の順序によってドアパネルが施錠されたり、されなかったりするため、不慣れな者は操作に戸惑うことがある。特に、最近では、障害者のみならず健常者も使用する多目的トイレが設置される傾向があり、この種の自動ドア装置の操作に慣れない者が操作に戸惑わないようにする必要がある。
【０００５】
本発明は、ドアパネルの操作に慣れない者でも操作に戸惑うことがないようにするトイレ用の自動ドア装置を提供することを目的とする。
【課題を解決するための手段】
【０００６】
本発明の一態様の自動ドア装置は、トイレの便房の出入り口を開閉するドアパネルを有している。前記便房の外部に外部操作手段が設けられている。この外部操作手段が操作されたとき、前記ドアパネルが開かれる。検知センサが、前記便房出入り口付近の内部側に設置され、出入り口付近の内部側に検知範囲を有している。前記操作手段の操作によって前記ドアパネルが開放された後の前記検知センサの検知範囲での検知結果に従って、案内手段が前記トイレの利用者に前記ドアパネルの操作方法を音声または表示によって案内する。なお、音声及び表示の双方によって案内することも可能である。
【０００７】
このように構成された自動ドア装置では、トイレの利用者がドアパネルを開いたが、その後、前記便房出入り口付近に止まっているのか、前記便房出入り口付近を通過して便房内に入ったか等を検知センサの前記便房出入り口付近の検知結果に基づいて判断し、その判断結果に適した案内を案内手段が行う。従って、操作に慣れない利用者でもドアパネルの操作に戸惑うことがない。
【０００８】
前記検知センサは、前記便房内部の前記検知範囲の状況を時系列で判断するものとすることができる。例えば、予め定めた時間の経過ごとに、前記便房内部の検知範囲内での利用者の位置が変化しているか否か、変化している場合、便房内に向かっているのか、便房内に向かった後、前記便房内部の検知範囲で利用者を検知しなくなったか、或いは検知しなくなってから前記便房内部の検知範囲で検知するようになり、便房内から外部に向かって前記便房内部の検知範囲内を利用者が移動しているか等を検知することができる。これによって、利用者の動きに応じた案内を行うことが可能となる。
【０００９】
案内手段は、前記便房内に設けることができる。この場合、前記便房内には、前記ドアパネルを閉じさせる内部操作手段が設けられる。前記外部操作手段の操作によって前記ドアパネルが開かれた後、前記利用者が前記検知範囲を通過して前記便房内に入ってから所定時間経過したとき、前記案内手段が前記内部操作手段の操作を案内する。内部操作手段が操作されるとドアパネルが閉じられる。この場合、ドアパネルを施錠することが可能である。
【００１０】
このように構成すると、例えば利用者が検知範囲を超えて便房内に入ったが、便房内からドアパネルを閉じる操作方法が分かっていないと判断できるので、内部操作手段の操作を促す案内を行う。
【００１１】
また、上記と同様に前記案内手段を前記便房内に設け、前記便房内に前記ドアパネルを閉じさせる内部操作手段を設けた上で、外部操作手段の操作によって前記ドアパネルが開かれた後、前記検知範囲内に前記利用者が所定時間止まったとき、前記案内手段が前記内部操作手段の操作を案内するようにすることもできる。内部操作手段が操作されると、ドアパネルが閉じられる。この場合、ドアパネルを施錠することもできる。
【００１２】
このように構成すると、ドアパネルを開いたが、それ以後、どのようにすればよいか利用者が分かっていないと判断できるので、内部操作手段の操作を促す。
【００１３】
前記検知センサは、少なくとも前記便房の出入り口での前記利用者の通過の有無を判断するものとできる。例えば検知センサとして、ドアパネルが設けられている戸枠に設けた光電センサや、便房出入り口内側近傍に検知エリアを持つ赤外線センサなどを使用することができる。
【００１４】
このように構成すると、検知センサは、利用者の有無のみを判断するので、案内手段に案内をさせるための処理が容易となる。
【００１５】
本発明の他の態様の自動ドア装置も、前記便房の外部に外部操作手段が設けられている。この外部操作手段が操作されたとき、前記ドアパネルが開かれる。前記便房出入り口付近に検知範囲を有する検知センサが設けられている。前記操作手段の操作によって前記ドアパネルが開放された後の前記検知センサの検知結果に従って、案内手段が前記トイレの利用者に前記ドアパネルの操作方法を音声または表示によって案内する。なお、音声及び表示の双方によって案内することも可能である。前記案内手段は、前記便房の外部に設けることもできる。この場合、前記外部操作手段の操作によって前記ドアパネルが開かれた後、前記検知範囲内に複数の人が存在し、その後に前記便房から前記複数の人のうち一部の人が前記便房から退出して前記所定時間経過したとき、前記案内手段が前記外部操作手段の操作を案内する。外部操作手段の操作によってドアパネルが閉じられる。この場合、ドアパネルを無施錠状態とすることができ、例えば外部操作手段を操作することによってドアパネルを開くことができる。
【００１６】
このように構成した場合、要介護者と介護者とが便房内に入り、介護者が便房外に出たが、介護者がドアパネルを閉じる操作方法が分かっていないと判断できるので、外部操作手段の操作を促す案内が行われる。
【発明の効果】
【００１７】
以上のように本発明によれば、トイレに設置された自動ドア装置の操作に習熟していない利用者に対して、状況に応じて案内が行われるので、ドアパネルの操作に戸惑うことがない。
【図面の簡単な説明】
【００１８】
【図１】本発明の第１の実施形態の自動ドア装置の縦断側面図及び平面図である。
【図２】図１の自動ドア装置のブロック図である。
【図３】図１の自動ドア装置の第１の使用例の説明図である。
【図４】図１の自動ドア装置の第２の使用例の説明図である。
【図５】図１の自動ドア装置の第３の使用例の説明図である。
【図６】図１の自動ドア装置の概略フローチャートである。
【図７】本発明の第２の実施形態の自動ドア装置の縦断側面図及び平面図である。
【図８】本発明の第３の実施形態の自動ドア装置の縦断側面図及び平面図である。
【発明を実施するための形態】
【００１９】
本発明の第１の実施形態の自動ドア装置は、図１（ａ）及び（ｂ）に示すように、トイレに設けられている。トイレは、例えば概略直方体の部屋状の便房２を有し、その内部には便器４、手洗い６及び仕切り壁８が配置されている。この便房２の出入り口１０を開閉するようにドアパネル１２が設置されている。ドアパネル１２は、図２に示すドア駆動装置１４によって制御されて開閉する。
【００２０】
便房２の外部、例えば便房２の出入り口１０付近の外部壁には、外部操作及び案内装置１６が設置されている。この外部操作及び案内装置１６は、図２に示すように、外部操作手段、例えば外部スイッチ１８と、外部案内手段、例えば外部音声装置２０及び外部表示装置２２とを、備えている。
【００２１】
外部スイッチ１８は、図示していないが、操作されることによってドアパネル１２が開放される開スイッチと、操作されることによってドアパネル１２が閉じられる閉スイッチとを、備えており、これらの操作による指示は、ドア制御駆動装置８内の制御手段、例えば制御部２４に送られ、制御部２４がドアパネル１２を制御する。
【００２２】
外部音声装置２０は、制御部２４からの指示に従って後述するように外部スイッチ１８の操作を音声によって案内するものである。外部表示装置２２も、制御部２４からの指示に従って、後述するように外部スイッチ１８の操作を表示によって案内するものである。
【００２３】
図１（ａ）、（ｂ）に示すように、出入り口１０のドアパネル１２の側柱２６と、ドアパネル１２が収容される戸袋２７の側面とには、出入り口１０に通行者が止まっているか否かを検出する光電センサ２８として投光器２８Ｅと受光器２８Ｒが設置されている。光電センサ２８の検知信号は図２に示すように制御部２４に供給され、ドアパネル１２を閉じる指示が制御部２４に与えられていても、光電センサ２８が通行者を検知している場合には、ドアパネル１２は閉じられない。
【００２４】
図１（ａ）及び（ｂ）に示すように、便房２内の出入り口１０の近傍には、内部操作及び案内装置３０が設置されている。この内部操作及び案内装置３０は、図２に示すように、内部操作手段、例えば内部スイッチ３２と、内部案内手段、例えば内部音声装置３４及び内部表示装置３６とを、備えている。これらは、内部にあるか外部にあるかの相違のみで、外部スイッチ１８、外部音声装置２０及び外部表示装置２２と同一の動作をする。
【００２５】
図１（ａ）に示すように、便房２内の出入り口１０の上方には、検知センサ、例えば行動検知センサ３８が取り付けられている。行動検知センサ３８は、図１（ｂ）に破線で示すように、出入り口１０から便房２内の床面に検知エリア３９を形成し、この検知エリア３９は例えば行列状に形成した多数の小検知エリア４０、４０・・・からなる。行動検知センサ３８は、各小検知エリア４０、４０・・・に対応する投光器及び受光器を備え、これら小検知エリア４０、４０・・・内に物体が存在するか否かを個別に検出するものである。この検出を時系列的に行い、例えば予め定めた検出時間の経過ごとに繰り返す。これによって行動検知センサ３８は、検知エリア39内における物体の移動方向を検知することができる。この検知結果も、制御部２４に供給されている。なお、制御部２４は、ドアパネル１２が閉じられたとき、ドアパネル１２を施錠する電気錠４１も制御する。
【００２６】
図３を参照して、この自動ドア装置の第１の使用例を説明する。第１の使用例は、利用者が１人で便房２内に入る場合である。外部操作及び案内装置１６の外部スイッチ１８の開スイッチが操作されて、ドアパネル１２が開かれる。その後、行動検知センサ３８によって図３（ａ）に示すように利用者４２が出入り口１０の近辺の小検知エリア４０によって検知され、検出時間後に同図（ｂ）に示すように利用者４２が便房２の内部に近い小検知エリア４０によって検知され、更に検出時間の経過後に同図（ｃ）に示すようにいずれの小検知エリア４０でも利用者が検知されなかった場合、利用者は、出入り口１０から行動検知センサ３８の検知エリア３９を超えて便房２の奥に入ったと判断される。
【００２７】
この状態から予め定めた時間、例えば上記検出時間よりも長く定めた時間、具体的には１０秒経過しても、内部操作及び案内装置３０の内部スイッチ３２の閉スイッチが操作されないと、即ち、ドアパネル１２が内部操作によって閉じられないと、内部操作及び案内装置３０の内部音声装置３４及び内部表示装置３６が動作して、音声及び表示によって内部操作及び案内装置３０の内部スイッチ３２の閉スイッチを操作することでドアパネル１２が閉じられること及びドアパネル１２が施錠されることを便房２内の利用者に対して案内する。これによって内部スイッチ３２の閉スイッチが利用者によって操作されると、ドアパネル１２が閉じられ、電気錠４１によってドアパネル１２が施錠される。
【００２８】
図４を参照して、この自動ドア装置の第２の使用例を説明する。第２の使用例は、要介護者と介護者とが便房２内に入る場合である。外部操作及び案内装置１６の外部スイッチ１８の開スイッチが操作されて、ドアパネル１２が開かれる。その後、行動検知センサ３８によって図４（ａ）に示すように介護者と要介護者と目される２人の利用者４２ａ、４２ｂが出入り口１０の近辺の小検知エリア４０によって検知され、検出時間経過後に同図（ｂ）に示すように利用者４２ａ、４２ｂが便房２の内部に近い小検知エリア４０によって検知され、更に所定時間の経過後に同図（ｃ）に示すようにいずれの小検知エリア４０でも利用者が全く検知されなかった場合、利用者４２ａ、４２ｂは、出入り口１０から行動検知センサ３８の検知エリア３９を超えて便房２の奥に入ったと判断される。
【００２９】
この状態から同図（ｄ）に示すように、便房２内に近い位置の小検知エリアで１人の利用者が検知され、更に検出時間の経過後に、その１人の利用者が同図（ｅ）に示すように出入り口１０に近い小検知エリア４０で検知され、更に検出時間の経過後に同図（ｆ）に示すように、いずれの小検知エリア４０でも利用者が全く検知されなくなったとすると、介護者が便房２の外部に出たと判断される。
【００３０】
この状態から予め定めた時間、例えば１０秒経過しても、外部操作及び案内装置１６の外部スイッチ１８の閉スイッチが操作されないと、即ち、ドアパネル１２が外部操作によって閉じられないと、外部操作及び案内装置１６の外部音声装置２０及び外部表示装置２２が動作して、音声及び表示によって外部操作及び案内装置１６の外部スイッチ１８の閉スイッチを操作するとドアパネル１２が閉じられること及びドアパネル１２は施錠されないことを案内する。これによって外部にいる介護者によって外部スイッチ１８の閉スイッチが操作されると、ドアパネル１２が閉じられる。この場合、電気錠４１によってドアパネル１２は施錠されない。
【００３１】
図５を参照して、この自動ドア装置の第３の使用例を説明する。第３の使用例は、利用者が出入り口１０付近で立ち止まった場合である。外部操作及び案内装置１６の外部スイッチ１８の開スイッチが操作されて、ドアパネル１２が開かれる。その後、行動検知センサ３８によって図５（ａ）に示すように利用者４２が出入り口１０の近辺の小検知エリア４０によって検知され、検出時間経過後に同図（ｂ）に示すように利用者４２がやはり出入り口１０の近傍で検知された場合、利用者が操作方法がわからず出入り口１０付近に立ち止まっていると判断される。
【００３２】
この状態から予め定めた時間、例えば１０秒経過しても、この状態が維持されていると、内部操作及び案内装置３０の内部音声装置３４及び内部表示装置３６が動作して、音声及び表示によって内部操作及び案内装置３０の内部スイッチ３２の閉スイッチを操作するとドアパネル１２が閉じられること及びドアパネル１２が施錠されることを案内する。これによって利用者が内部スイッチ３２の閉スイッチを操作すると、ドアパネル１２が閉じられ、電気錠４１によってドアパネル１２は施錠される。
【００３３】
図６に、第１乃至第３の使用例で使用できるように制御部２４が行う処理を概略フローチャートで示す。まず、外部スイッチ１８が操作されているか判断する（ステップＳ２）。この判断の答えがノーの場合、判断の答えがイエスになるまでステップＳ２を繰り返す。この判断の答えがイエスの場合、ドアパネル１２を開く（ステップＳ４）。
【００３４】
ステップＳ４に続いて、検知エリア３９の出入り口10付近で利用者が検知されたか判断する（ステップＳ６）。この判断の答えがノーの場合、この判断の答えがイエスになるまでステップＳ６を繰り返す。この判断の答えがイエスの場合、複数の利用者が検知されているか判断する（ステップＳ８）。
【００３５】
ステップＳ８の判断の答えがノーの場合、即ち利用者が一人の第１または第３の使用例の場合、検知された利用者が検知エリア３９を便房２の内部側に移動しているか判断する（ステップＳ１０）。この判断の答えがノーの場合、第３の使用例に該当する可能性があるので、所定時間、例えば１０秒が経過したか判断する（ステップＳ１２）。この判断の答えがノーの場合、再びステップＳ１０を実行する。この判断の答えがイエスの場合、出入り口付近に所定時間立ち止まっているので、第3の使用例に該当し、内部音声装置３４及び内部表示装置３６によって音声及び表示によって内部操作及び案内装置３０の内部スイッチ３２の閉スイッチを操作することを案内する（ステップＳ１４）。
【００３６】
ステップＳ１０の判断の答えがノーの場合、図３（ａ）から同図（ｂ）のように利用者が便房２の内部に移動しているので、同図（ｃ）に示すように検知エリア３９内で非検知であるか判断する（ステップＳ１６）。この判断の答えがノーの場合、この判断の答えがイエスになるまで、ステップＳ１６を繰り返す。
【００３７】
ステップＳ１６の判断の答えがイエスであると、所定時間、例えば１０秒が経過したか判断する（ステップＳ１８）。この判断の答えがノーの場合、ステップＳ１６を再び実行する。この判断の答えがイエスの場合、第１の使用例の場合に該当するので、内部音声装置３４及び内部表示装置３６によって音声及び表示によって内部操作及び案内装置３０の内部スイッチ３２の閉スイッチを操作することを案内する（ステップＳ２０）。
【００３８】
ステップＳ８の判断の答えがイエスの場合、即ち、複数の利用者が検知された場合、図４（ａ）、（ｂ）に示すように、複数の利用者が便房２の内部に移動しているか判断する（ステップＳ２２）。この判断の答えがノーの場合、複数の利用者が出入り口１０付近で立ち止まっているので、所定時間、例えば１０秒が経過したか判断する（ステップＳ２４）。この判断の答えがノーの場合、再びステップＳ２２を実行する。ステップＳ２４の判断の答えがイエスの場合、複数の利用者が出入り口付近に１０秒以上立ち止まっているので、内部音声装置３４及び内部表示装置３６によって便房内部に入り、介護者が便房外部に出て外部スイッチ１８を操作することでドアパネル１２が閉じられ、ドアパネル１２は施錠されないことを音声及び表示で案内する（ステップＳ２６）。
【００３９】
ステップS２２の判断の答えがイエスの場合、図４（ｃ）に示すように検知エリア３９内で利用者が非検知となったか判断する（ステップＳ２８）。この判断の答えがノーの場合、ステップＳ２２を再び実行する。ステップＳ２８の判断の答えがイエスの場合、図４（ｄ）に示すように検知エリア３９の便房２の内部側で１人の利用者を検知したか判断し（ステップＳ３０）、その判断の答えがノーの場合、判断の答えがイエスになるまでステップＳ３０を実行する。この判断の答えがイエスになると、図４（ｅ）で示すように検知エリア３９の出入り口１０付近で1人の利用者を検知したか判断し（ステップＳ３２）、この判断の答えがノーの場合、答えがイエスになるまでステップＳ３２を繰り返す。
【００４０】
ステップＳ３２の判断の答えがイエスになると、図４（ｆ）に示すように検知エリア３９内で利用者を検知していないか判断する（ステップＳ３４）。この判断の答えがノーの場合、答えがイエスになるまでステップＳ３４を繰り返す。ステップＳ３４の判断の答えがイエスになると、所定時間、例えば１０秒が経過したか判断する（ステップＳ３６）。この判断の答えがノーの場合、ステップＳ３４を再び実行する。従って、ステップＳ３６の判断の答えがイエスになったとき、検知エリア３９で利用者を検知していない状態が所定時間継続しているので、第２の使用例の状態であり、外部音声装置２０及び外部表示装置２２で、外部スイッチ１８を操作すること、この場合、ドアパネル１２は施錠されないことを案内する（ステップＳ３８）。
【００４１】
第２の実施形態の自動ドア装置を図７に示す。第２の実施形態の自動ドア装置では、側柱２６に、その上下方向に沿って複数、例えば５つの光電センサの投光器４４Ｅ、４６Ｅ、４８Ｅ、５０Ｅ、５２Ｅが設置され、戸袋２７の側面には、これらに対向するように受光器４４Ｒ、４６Ｒ、４８Ｒ、５０Ｒ、５２Ｒが設置されており、これらは安全センサとして使用されるが、そのうちの一部、例えば最も床面に近い位置に或る投光器５２Ｅ、受光器５２Ｒとを検知センサとして使用したものである。他の構成は、第１の実施形態と同一であるので、同一部分には同一符号を付して、その説明を省略する。
【００４２】
この実施形態の自動ドア装置では、外部スイッチ１８の開スイッチによってドアパネル１２が開かれ、投光器５２Eと受光器５２Rとによって通行者が検知されたとき、即ち、利用者が出入り口１０付近で検知されたとき、その検知された状態が予め定めた時間、例えば１０秒継続すると、利用者が便房２内に入らず、出入り口１０付近に立ち止まっているので、内部音声装置３４及び内部表示装置３６によって、内部に入って内部スイッチ３２の閉スイッチを操作するとドアパネル１２が閉じられること、またドアパネル１２が施錠されることを案内する。
【００４３】
第３の実施形態の自動ドア装置を図８（ａ）、（ｂ）に示す。この実施形態の自動ドア装置では、第１の実施形態で使用した行動検知センサ３８に代えて、同図（ｂ）に示すように出入り口付近１２に第２の実施形態の投光器５２Ｅと受光器５２Ｒとによって形成される検知エリアよりも広い検知エリア５４を形成し、この検知エリア５４内に利用者が存在するか否かのみを検知するセンサ、例えば赤外線センサ５６を、出入り口１０の上部の無目に取り付けてある以外、第１の実施形態の自動ドア装置と同一に構成されている。同一部分には同一符号を付して、説明を省略する。
【００４４】
この実施形態の自動ドア装置でも、外部スイッチ１８の開スイッチによってドアパネル１２が開かれ、赤外線センサ５６によって通行者が検知されたとき、即ち、利用者が出入り口１０付近で検知されたとき、その検知された状態が予め定めた時間、例えば１０秒継続すると、利用者が便房２内に入らず、出入り口１０付近に立ち止まっているので、内部音声装置３４及び内部表示装置３６によって、内部に入って内部スイッチ３２の閉スイッチを操作するとドアパネル１２が閉じられること、またドアパネル１２が施錠されることを案内する。
【００４５】
第１の実施形態では、行動検知センサ３８として多数の小検知エリア４０を形成するものを使用したが、これに代えてビデオカメラを使用し、その映像からの動体検出結果を検知結果として使用することもできる。但し、プライバシーの保護の観点から、小検知エリアを形成するものの方が望ましい。また、第１の実施形態では、複数の利用者を個別に判別できるものを使用したが、個別に判別できないものを使用することもできる。その場合、介護者が検知エリア３９を出ようとしているか否かの判断は、検知エリア３９内に入ったときに検出された面積よりも検知エリア３９を出ようとしているときの面積が小さいか否かによって行う。
【符号の説明】
【００４６】
２  便房
１０  出入り口
１２  ドアパネル
１６  外部操作及び案内装置（外部操作手段、外部案内手段）
３０  内部操作及び案内装置（内部操作手段、内部案内手段）
３８  行動検知センサ（検知センサ）
【図１】
0005893291.tif 000002
【図２】
0005893291.tif 000003
【図３】
0005893291.tif 000004
【図４】
0005893291.tif 000005
【図５】
0005893291.tif 000006
【図６】
0005893291.tif 000007
【図７】
0005893291.tif 000008
【図８】
0005893291.tif 000009